(57)【特許請求の範囲】
【請求項１】
取付対象物内に挿入される筒状の胴部の一端に前記取付対象物の表面上に露出する台座部が形成されたリベット本体と、
前記胴部内に挿入される棒状の芯体の一端に前記台座部上に載置される頭部が形成された押込みピンとを有したリベットを前記取付対象物から取り外すためのリベット外し工具であって、
前記取付対象物上から露出した前記リベットの一部を挟んで保持する挟み保持具と、
前記挟み保持具に取り付けられた取外し補助体とを備え、
前記挟み保持具は、
前記取付対象物上から露出した前記リベットの一部を径方向の両側から挟む一対の挟持爪と、
前記挟持爪が前記リベットを挟む仮想平面に対して直交する方向に延びる２つの棒状に形成されて前記挟持爪を開閉させる一対の操作把持部とを有し、
前記取外し補助体は、
前記挟み保持具に取り付けられて前記操作把持部側から前記挟持爪側に延びる取付部と、
前記挟持爪の下方に同挟持爪が前記リベットの一部を挟むことが可能な大きさの孔または切り欠きからなる逃げ部が形成されて前記取付対象物上における前記頭部の周囲に載置される板状の載置板と、
前記載置板と前記取付部とによって形成された角部とを有し、前記取付部が前記挟み保持具に対して前記操作把持部の形成方向に可動的に取り付けられていることを特徴とするリベット外し工具。
【請求項２】
取付対象物内に挿入される筒状の胴部の一端に前記取付対象物の表面上に露出する台座部が形成されたリベット本体と、
前記胴部内に挿入される棒状の芯体の一端に前記台座部上に載置される頭部が形成された押込みピンとを有したリベットを前記取付対象物から取り外すためのリベット外し工具であって、
前記取付対象物上から露出した前記リベットの一部を挟んで保持する挟み保持具と、
前記挟み保持具に取り付けられた取外し補助体とを備え、
前記挟み保持具は、
前記取付対象物上から露出した前記リベットの一部を径方向の両側から挟む一対の挟持爪と、
前記挟持爪が前記リベットを挟む仮想平面に対して直交する方向に延びる２つの棒状に形成されて前記挟持爪を開閉させる一対の操作把持部とを有し、
前記取外し補助体は、
前記挟み保持具に取り付けられて前記操作把持部側から前記挟持爪側に延びる取付部と、
前記挟持爪の下方に同挟持爪が前記リベットの一部を挟むことが可能な大きさの孔または切り欠きからなる逃げ部が形成されて前記取付対象物上における前記頭部の周囲に載置される板状の載置板と、
前記載置板と前記取付部とによって形成された角部とを有し、
前記取外し補助体における前記載置板は、
前記挟持爪の開閉方向の両側に沿って少なくとも人の指がそれぞれ載置可能な長さに延びて形成されていることを特徴とするリベット外し工具。
【請求項３】
取付対象物内に挿入される筒状の胴部の一端に前記取付対象物の表面上に露出する台座部が形成されたリベット本体と、
前記胴部内に挿入される棒状の芯体の一端に前記台座部上に載置される頭部が形成された押込みピンとを有したリベットを前記取付対象物から取り外すためのリベット外し工具であって、
前記取付対象物上から露出した前記リベットの一部を挟んで保持する挟み保持具と、
前記挟み保持具に取り付けられた取外し補助体とを備え、
前記挟み保持具は、
前記取付対象物上から露出した前記リベットの一部を径方向の両側から挟む一対の挟持爪と、
前記挟持爪が前記リベットを挟む仮想平面に対して直交する方向に延びる２つの棒状に形成されて前記挟持爪を開閉させる一対の操作把持部とを有し、
前記取外し補助体は、
前記挟み保持具に取り付けられて前記操作把持部側から前記挟持爪側に延びる取付部と、
前記挟持爪の下方に同挟持爪が前記リベットの一部を挟むことが可能な大きさの孔または切り欠きからなる逃げ部が形成されて前記取付対象物上における前記頭部の周囲に載置される板状の載置板と、
前記載置板と前記取付部とによって形成された角部とを有し、
前記取外し補助体における前記載置板は、
前記挟持爪の開閉方向の両側に沿って延びて形成されるとともに両端部側が前記取付対象物とは離隔する側に反って形成されていることを特徴とするリベット外し工具。
【請求項４】
請求項１ないし請求項３のうちのいずれか１つに記載したリベット外し工具において、
前記取外し補助体における前記載置板は、
前記台座部の厚さ以下の厚さに形成されていることを特徴とするリベット外し工具。
【請求項５】
請求項１ないし請求項４のうちのいずれか１つに記載したリベット外し工具において、
前記取外し補助体における前記逃げ部は、
前記挟持爪の直下部分から同挟持爪の形成方向に沿って同挟持爪における前記形成方向先端部から張り出す長尺の孔または切り欠きで構成されていることを特徴とするリベット外し工具。
【発明の詳細な説明】
【技術分野】
【０００１】
本発明は、リベットが取り付けられた取付対象物上からリベットを取り外すためのリベット外し工具に関する。
【背景技術】
【０００２】
従来から、所謂アウプリベットが取り付けられた取付対象物上からアウプリベットを取り外すためのリベット外し工具が知られている。ここで、アウプリベットは、取付対象物内に挿入される筒状の胴部の一端に取付対象物の表面上に露出する台座部が形成されたリベット本体と、このリベット本体の胴部内に挿入される棒状の芯体の一端に前記台座部上に載置される頭部が形成された押込みピンとを備えたリベットである。
【０００３】
このようなアウプリベットを取付対象物上から取り外すためのリベット外し工具として例えば、下記特許文献１に示すように、鋏（やっとこ）型のリベット外し工具がある。この鋏型のリベット外し工具は、主として、アウプリベットにおける押込みピンを挟む一対の挟持爪と、これら一対の挟持爪からそれぞれ棒状に延びて挟持爪を開閉させる操作把持部とで構成されている。
【先行技術文献】
【特許文献】
【０００４】
【特許文献１】特開２００４−１４７８９７号公報
【０００５】
しかしながら、上記特許文献１に示されたリベット外し工具においては、押込みピンはリベット本体に強固に嵌合しているとともに同押込みピンにおける台座部上から露出する部分の大きさが極めて小さいため、挟持爪による挟持および挟持した状態での押込みピンの引抜きが行ない難く作業性が悪いという問題があった。
【０００６】
本発明は上記問題に対処するためなされたもので、その目的は、リベットを容易に取付対象物上から取り外すことができるリベット外し工具を提供することにある。
【発明の概要】
【０００７】
上記目的を達成するため、本発明の特徴は、取付対象物内に挿入される筒状の胴部の一端に取付対象物の表面上に露出する台座部が形成されたリベット本体と、胴部内に挿入される棒状の芯体の一端に台座部上に載置される頭部が形成された押込みピンとを有したリベットを取付対象物から取り外すためのリベット外し工具であって、取付対象物上から露出したリベットの一部を挟んで保持する挟み保持具と、挟み保持具に取り付けられた取外し補助体とを備え、挟み保持具は、取付対象物上から露出したリベットの一部を径方向の両側から挟む一対の挟持爪と、挟持爪がリベットを挟む仮想平面に対して直交する方向に延びる２つの棒状に形成されて挟持爪を開閉させる一対の操作把持部とを有し、取外し補助体は、挟み保持具に取り付けられて操作把持部側から挟持爪側に延びる取付部と、挟持爪の下方に同挟持爪がリベットの一部を挟むことが可能な大きさの孔または切り欠きからなる逃げ部が形成されて取付対象物上における頭部の周囲に載置される板状の載置板と、載置板と取付部とによって形成された角部とを有し、取付部が挟み保持具に対して操作把持部の形成方向に可動的に取り付けられていることにある。
【０００８】
また、上記目的を達成するため、本発明の特徴は、取付対象物内に挿入される筒状の胴部の一端に取付対象物の表面上に露出する台座部が形成されたリベット本体と、胴部内に挿入される棒状の芯体の一端に台座部上に載置される頭部が形成された押込みピンとを有したリベットを取付対象物から取り外すためのリベット外し工具であって、取付対象物上から露出したリベットの一部を挟んで保持する挟み保持具と、挟み保持具に取り付けられた取外し補助体とを備え、挟み保持具は、取付対象物上から露出したリベットの一部を径方向の両側から挟む一対の挟持爪と、挟持爪がリベットを挟む仮想平面に対して直交する方向に延びる２つの棒状に形成されて挟持爪を開閉させる一対の操作把持部とを有し、取外し補助体は、挟み保持具に取り付けられて操作把持部側から挟持爪側に延びる取付部と、挟持爪の下方に同挟持爪がリベットの一部を挟むことが可能な大きさの孔または切り欠きからなる逃げ部が形成されて取付対象物上における頭部の周囲に載置される板状の載置板と、載置板と取付部とによって形成された角部とを有し、取外し補助体における載置板は、挟持爪の開閉方向の両側に沿って少なくとも人の指がそれぞれ載置可能な長さに延びて形成されていることにある。
【０００９】
また、上記目的を達成するため、本発明の特徴は、取付対象物内に挿入される筒状の胴部の一端に取付対象物の表面上に露出する台座部が形成されたリベット本体と、胴部内に挿入される棒状の芯体の一端に台座部上に載置される頭部が形成された押込みピンとを有したリベットを取付対象物から取り外すためのリベット外し工具であって、取付対象物上から露出したリベットの一部を挟んで保持する挟み保持具と、挟み保持具に取り付けられた取外し補助体とを備え、挟み保持具は、取付対象物上から露出したリベットの一部を径方向の両側から挟む一対の挟持爪と、挟持爪がリベットを挟む仮想平面に対して直交する方向に延びる２つの棒状に形成されて挟持爪を開閉させる一対の操作把持部とを有し、取外し補助体は、挟み保持具に取り付けられて操作把持部側から挟持爪側に延びる取付部と、挟持爪の下方に同挟持爪がリベットの一部を挟むことが可能な大きさの孔または切り欠きからなる逃げ部が形成されて取付対象物上における頭部の周囲に載置される板状の載置板と、載置板と取付部とによって形成された角部とを有し、取外し補助体における載置板は、挟持爪の開閉方向の両側に沿って延びて形成されるとともに両端部側が取付対象物とは離隔する側に反って形成されていることにある。
【００１０】
このように構成した本発明の特徴によれば、リベット外し工具は、挟み保持具が取り外し補助体を介して取付対象物上に安定的に載置されるとともに、挟持爪がリベット、具体的には、リベット本体や押込みピンを挟持した状態で操作把持部を傾倒操作することによって取外し補助体における角部を支点として挟み保持具を傾倒させることでテコの作用を利用して容易に押込みピンをリベット本体から引抜くことができる。
【００１１】
また、このように構成した本発明の特徴によれば、リベット外し工具は、取外し補助体における取付部が挟み保持具に対して操作把持部の形成方向に沿ってスライド変位可能に取り付けられているため、載置板に対する挟持爪の距離を変更することができる。これにより、リベット外し工具は、リベットの台座部および頭部の厚さに応じて挟持爪の位置を変化させることによって幅広い種類のリベットの取外しを行うことができる。
【００１２】
この場合、リベット外し工具は、取付部について操作把持部の形成方向へのスライド変位に代えてまたは加えて回転変位可能に挟み保持具に取り付けることもできる。これによれば、リベット外し工具は、取外し補助体に対して挟み保持具を回転変位させることができるため、押込みピンへのアプローチのバリエーションが豊富になり掴み易くすることができる。
【００１３】
また、このように構成した本発明の特徴によれば、リベット外し工具は、取外し補助体における載置板が挟持爪の開閉方向の両側に沿って少なくとも人の指がそれぞれ載置可能な長さに延びて形成されているため、載置板の両側部分を作業者の指で押さえることによってリベット外し工具全体を取付対象物上で安定させることができ、押込みピンの挟持作業を容易に行うことができる。また、リベット外し工具は、載置板が指が載置できる程度に長尺に形成されているため、この載置板の上面にリベット外し工具の使用方法などの説明書きを記載することもでき、より使い易くすることができる。
【００１４】
また、このように構成した本発明の特徴によれば、リベット外し工具は、取外し補助体における載置板が挟持爪の開閉方向の両側に沿って延びて形成されるとともに両端部側が取付対象物とは離隔する側に反って形成されているため、取付対象物の表面が曲面であっても載置板を安定的に載置することができ、押込みピンの挟持作業を容易に行うことができる。
【００１５】
また、本発明の他の特徴は、前記リベット外し工具において、取外し補助体における載置板は、台座部の厚さ以下の厚さで形成されていることにある。
【００１６】
このように構成した本発明の他の特徴によれば、リベット外し工具は、取外し補助体における載置板の厚さがリベットの台座部の厚さ以下の厚さで形成されているため、台座部上に露出する押込みピンを挟持爪によって容易に掴むことができる。
【００１７】
また、本発明の他の特徴は、前記リベット外し工具において、取外し補助体における逃げ部は、挟持爪の直下部分から同挟持爪の形成方向に沿って同挟持爪における前記形成方向先端部から張り出す長尺の孔または切り欠きで構成されていることにある。
【００１８】
このように構成した本発明の他の特徴によれば、リベット外し工具は、取外し補助体における逃げ部が挟持爪の直下部分から同挟持爪の形成方向に沿って同挟持爪における先端部から張り出す長尺の孔または切り欠きで構成されているため、逃げ部における挟持爪から張り出した部分からリベットの台座部を挿入することによって台座部を容易に挟持爪の直下に位置決めさせることができる。
【００１９】
また、上記目的を達成するため、本発明は、取付対象物内に挿入される筒状の胴部の一端に取付対象物の表面上に露出する台座部が形成されたリベット本体と、胴部内に挿入される棒状の芯体の一端に台座部上に載置される頭部が形成された押込みピンとを有したリベットを取付対象物から取り外すためのリベット外し工具であって、取付対象物上から露出したリベットの一部を挟んで保持する挟み保持具と、挟み保持具に取り付けられた取外し補助体とを備え、挟み保持具は、取付対象物上から露出したリベットの一部を径方向の両側から挟む一対の挟持爪と、挟持爪がリベットを挟む仮想平面に対して直交する方向に延びる２つの棒状に形成されて挟持爪を開閉させる一対の操作把持部とを有し、取外し補助体は、挟み保持具に取り付けられて操作把持部側から挟持爪側に延びる取付部と、挟持爪の下方に同挟持爪がリベットの一部を挟むことが可能な大きさの孔または切り欠きからなる逃げ部が形成されて取付対象物上における頭部の周囲に載置される板状の載置板と、載置板と取付部とによって形成された角部とを有するようにしてもよい。
【図面の簡単な説明】
【００２０】
【図１】（Ａ），（Ｂ）は本発明の一実施形態に係るリベット外し工具の外観構成を概略的に示しており、（Ａ）はリベット外し工具の閉じた状態を示す正面図であり、（Ｂ）はリベット外し工具の閉じた状態を示す底面図である。
【図２】（Ａ），（Ｂ）は図１にそれぞれ示すリベット外し工具の外観構成を概略的に示しており、（Ａ）はリベット外し工具の開いた状態を示す正面図であり、（Ｂ）はリベット外し工具の開いた状態を示す底面図である。
【図３】（Ａ），（Ｂ）は図１に示すリベット外し工具の外観構成を概略的に示しており、（Ａ）はリベット外し工具の閉じた状態を示す背面図であり、（Ｂ）はリベット外し工具の閉じた状態における一部破断側面図である。
【図４】図１に示すリベット外し工具における取外し補助体の外観構成を概略的に示す平面図である。
【図５】（Ａ），（Ｂ）図１に示すリベット外し工具を用いて取付対象物上のリベットを取り外す一過程をそれぞれ示す要部断面図である。
【図６】図１に示すリベット外し工具を用いて取付対象物上のリベットを取り外す他の過程を示す要部断面図である。
【図７】本発明の変形例に係るリベット外し工具における取外し補助体の外観構成を概略的に示す平面図である。
【図８】本発明の他の変形例に係るリベット外し工具を用いて取付対象物上のリベットを取り外す一過程を示す要部断面図である。
【図９】図１に示すリベット外し工具による取り外しの対象となるリベットが取付対象物内に取り付けられた状態を示す断面図である。
【発明を実施するための形態】
【００２１】
以下、本発明に係るリベット外し工具１００の一実施形態について図面を参照しながら説明する。図１（Ａ），（Ｂ）は、本発明の一実施形態に係るリベット外し工具１００の外観構成を概略的に示しており、（Ａ）はリベット外し工具１００の閉じた状態を示す正面図であり、（Ｂ）はリベット外し工具１００の閉じた状態を示す底面図である。また、図２（Ａ），（Ｂ）は、図１（Ａ），（Ｂ）にそれぞれ示すリベット外し工具１００の外観構成を概略的に示しており、（Ａ）はリベット外し工具１００の開いた状態を示す正面図であり、（Ｂ）はリベット外し工具１００の開いた状態を示す底面図である。また、図３（Ａ），（Ｂ）は、図１（Ａ），（Ｂ）にそれぞれ示すリベット外し工具１００の外観構成を概略的に示しており、（Ａ）はリベット外し工具１００の背面図であり、（Ｂ）はリベット外し工具１００の一部破断側面図である。なお、本明細書において参照する各図は、本発明の理解を容易にするために一部の構成要素を誇張して表わすなど模式的に表していることがあるため、各構成要素間の寸法や比率などは異なっていることがある。
【００２２】
このリベット外し工具１００は、椅子などの取付対象物ＴＴ上に取り付けられたリベット９０を取付対象物ＴＴ上から取り外す際に用いる道具である。
【００２３】
ここで、まず、このリベット外し工具１００の使用対象であるリベット９０について簡単に説明しておく。リベット９０は、図９に示すように、主として、リベット本体９１と押込みピン９５とで構成されている。リベット本体９１は、リベット９０によって互いに固定される２つの板部材からなる取付対象物ＴＴを貫通した状態で配置される部材であり、金属材料を円筒状に形成して構成されている。
【００２４】
このリベット本体９１は、取付対象物ＴＴ内に挿入される胴部９２と取付対象物ＴＴの表面上に露出する台座部９３とで構成されている。胴部９２は、押込みピン９５の芯体９６が挿入される筒体であり、この筒体の先端部に複数のスリット９４が形成されている。台座部９３は、胴部９２における一方（図示上側）の端部にフランジ状に張り出した状態で円盤状に形成されている。この台座部９３の中央部には、胴部９２に繋がった状態で貫通孔が形成されている。
【００２５】
押込みピン９５は、リベット本体９１内に押し込まれて胴部９２の先端部を径方向外側に押し広げるための部品であり、金属材料を棒状に形成して構成されている。この押込みピン９５は、胴部９２内に挿入される芯体９６と台座部９３上に露出した状態で載置される頭部９７とで構成されている。芯体９６は、胴部９２内に挿入される棒体である。また、頭部９７は、芯体９６における一方（図示上側）の端部にフランジ状に張り出した平板状に形成されている。
【００２６】
このリベット９０は、作業者によって取付対象物ＴＴの表面に予め形成された孔にリベット本体９１が打ち込まれた後、このリベット本体９１の胴部９２内に押込みピン９５が打ち込まれることによって取付対象物ＴＴ内にて胴部９２の先端部が開いて取付対象物ＴＴに取り付けられる。すなわち、リベット９０は、所謂アウプリベットである。
【００２７】
（リベット外し工具１００の構成）
リベット外し工具１００は、主として、挟み保持具１１０と取外し補助体１２０とで構成されている。挟み保持具１１０は、リベット９０を掴む工具であり、主として、挟持爪１１１および操作把持部１１２を備えている。挟持爪１１１は、リベット９０における押込みピン９５の一部、より具体的には、芯体９６における頭部９７の直下部分または頭部９７を挟む部分であり、互いに対向して平行に延びる直線状の一対の金属製の爪が互いに接近または離隔するように構成されている。この場合、各挟持爪１１１は、互いに対向し合う各刃先１１１ａが鋭利に尖った形状にそれぞれ形成されている。
【００２８】
また、挟持爪１１１は、後述する調整ネジ１１４ｂによって互いに対向し合う各刃先１１１ａの間隔Ｐが所定の間隔未満に接近することなく互いに接触し合わないように構成されている。本実施形態においては、挟持爪１１１における２つの刃先１１１ａの間隔Ｐの最小値は、押込みピン９５の頭部９７の外径よりも短い間隔かつ芯体９６の外径よりも大きな間隔となるように形成されている。
【００２９】
操作把持部１１２は、図２にそれぞれ破線矢印で示すように、作業者が把持するとともに把持した手を握ったり開いたりすることによって挟持爪１１１を開閉操作する部分であり、挟持爪１１１が押込みピン９５を挟む仮想平面に直交する方向（図示上方）に延びる２つの金属製の棒体によって構成されている。この場合、一対の操作把持部１１２を構成する２つの棒体は、互いに外側に凸状に膨らむ曲線状に延びて形成されている。
【００３０】
これら一対の操作把持部１１２は、ヒンジ部１１３を介して互いに交差して前記一対の挟持爪１１１にそれぞれ繋がっている。すなわち、挟み保持具１１０は、各挟持爪１１１と各操作把持部１１２とがヒンジ部１１３を介してそれぞれ一体的に形成された鋏（やっとこ）型の工具である。ヒンジ部１１３は、操作把持部１１２の開閉操作に対応して挟持爪１１１を開閉させるために互いに相対回転変位可能に連結された部分である。また、このヒンジ部１１３における図示上方側の操作把持部１１２には、操作把持部１１２を開かせるとともに操作把持部１１２の閉める側の開度を規制する、換言すれば、挟持爪１１１を開かせるとともに挟持爪１１１における前記刃先１１１ａ間の間隔Ｐの最小値を規定するためのスプリング１１４ａおよび調整ネジ１１４ｂがそれぞれ設けられている。
【００３１】
取外し補助体１２０は、挟み保持具１１０による押込みピン９５の保持および引抜き作業をそれぞれ容易にするための部品であり、側面視でＬ字状の板状体で構成されている。この取外し補助体１２０は、主として、取付部１２１、載置板１２３および角部１２８によって構成されている。
【００３２】
取付部１２１は、挟み保持具１１０に取り付けられて操作把持部１１２側から挟持爪１１１側に延びる背面視で方形状の板状体である。この取付部１２１には、略中央部に操作把持部１１２の形成方向に沿って延びる取付孔１２１ａが形成されている。取付孔１２１ａは、取外し補助体１２０に対して挟み保持具１１０を操作把持部１１２の形成方向に沿ってスライド変位させるための貫通孔である。そして、この取付部１２１は、取付ネジ１２２ａが平ワッシャ１２２ｂ、取付孔１２１ａ、スリーブ１２２ｃをそれぞれ貫通してヒンジ部１１３にねじ込まれることによってこのヒンジ部１１３に対してスライド変位および回転変位がそれぞれ可能な状態で取り付けられる。
【００３３】
載置板１２３は、図４に示すように、取付対象物ＴＴ上に露出するリベット９０の周囲に載置される板状体である。この載置板１２３は、主として、平面部１２４とこの平面部１２４の両側に形成された傾斜部１２６とで構成されている。これらのうち、平面部１２４は、挟持爪１１１の下方に設けられて取付対象物ＴＴ上に露出する台座部９３の周囲に載置される部分である。この平面部１２４は、挟持爪１１１の平面視における横幅（開閉方向）および同横幅に直交する縦幅よりも広い横幅および縦幅の方形状に形成されている。そして、平面部１２４の中央部には、逃げ部１２４ａが形成されている。
【００３４】
逃げ部１２４ａは、取付対象物ＴＴ上に露出する台座部９３との物理的干渉を回避する貫通孔であり、挟持爪１１１が押込みピン９５を挟む際に支障にならない程度の大きさの長孔で構成されている。本実施形態においては、逃げ部１２４ａは、短径が台座部９３の外径よりも大きな内径に形成されている。また、逃げ部１２４ａの長径方向は、挟持爪１１１の直下部分から同挟持爪１１１の刃先１１１ａの形成方向に沿って同刃先１１１ａの先端部から張り出す長さに形成されている。
【００３５】
この逃げ部１２４ａにおける取付部１２１側の周囲を構成する平面部１２４には、横幅方向に沿って参考線１２５が形成されている。参考線１２５は、逃げ部１２４ａ内の最奥部にリベット９０の台座部９３が位置したことを把握し易くするための印であり、逃げ部１２４ａの両側に直線状に延びて形成されている。
【００３６】
傾斜部１２６は、平面部１２４の横幅方向両端部から傾斜して延びる板状の部分であり、取付対象物ＴＴの表面から離隔する方向に反って形成されている。この場合、各傾斜部１２６は、作業者の指が載置可能な面積を有して形成されている。また、各傾斜部１２６の表面には、説明書き１２７がそれぞれ形成されている。説明書き１２７は、このリベット外し工具１００の使用方法の手順およびポイントを文字や絵を用いて簡潔に示したものである。これら平面部１２４および傾斜部１２６からなる載置板１２３は、リベット９０の台座部９３の厚さよりも薄く形成されている。
【００３７】
角部１２８は、載置板１２３の仮想延長面と取付部１２１の仮想延長面とが交わる部分に形成された直角に屈曲した部分である。本実施形態においては、角部１２８は、一枚の金属板を取付部１２１および載置板１２３を平面的に形成するように打ち抜いたプレス半製品を取付部１２１と載置板１２３の境界部分で屈曲させて成形される。すなわち、取外し補助体１２０は、取付部１２１、載置板１２３および角部１２８が一体的に形成されて挟み保持具１１０の背面から底面を覆う側面視でＬ字状に屈曲した形状に形成されている。なお、角部１２８は、必ずしも直角である必要はなく、直角以外の角度、例えば、鋭角や鈍角であってもよい。この場合、角部１２８を鋭角に形成することによって取付対象物ＴＴへの食い付きを良くすることができるとともに、角部１２８を鈍角に形成することによって取付対象物ＴＴへの損傷を抑えることができる。
【００３８】
（リベット外し工具１００の作動）
次に、このように構成されたリベット外し工具１００の作動について説明する。まず、リベット外し工具１００を使用する作業者は、リベット外し工具１００およびリベット９０が取り付けられた取付対象物ＴＴをそれぞれ用意する。この場合、リベット外し工具１００は、スプリング１１４ａによって操作把持部１１２および挟持爪１１１がそれぞれ開いた状態にある（図２参照）。次に、作業者は、リベット外し工具１００における載置板１２３の平面部１２４上に設けた説明書き１２７を一読して作業の概要を把握することができる。
【００３９】
次に、作業者は、図５（Ａ），（Ｂ）にそれぞれ示すように、リベット外し工具１００における操作把持部１１２を片手で把持して取外し補助体１２０を取り外しの対象となるリベット９０が露出する取付対象物ＴＴ上に載置する。具体的には、作業者は、図５（Ａ）に示すように、長孔状の逃げ部１２４ａ内における前方側（取付部１２１とは反対側）に取付対象物ＴＴ上の台座部９３が配置するように載置板１２３を取付対象物ＴＴ上に載置する。次いで、作業者は、図５（Ｂ）に示すように、リベット外し工具１００全体を取付対象物ＴＴ上でスライド変位させて逃げ部１２４ａ内の台座部９３を逃げ部１２４ａ内における奥側（取付部１２１側）、換言すれば、挟持爪１１１の奥側の直下に位置させる。この場合、作業者は、載置板１２３上に形成された参考線１２５を参考して逃げ部１２４ａ内における台座部９３の大よその位置を把握することができる。
【００４０】
次に、作業者は、操作把持部１１２を把持する手とは異なる他方の手の指（図示せず）を載置板１２３における平面部１２４上で逃げ部１２４ａを跨ぐように載置することによって載置板１２３を取付対象物ＴＴ上に押し付けて固定状態とする。次いで、作業者は、図５（Ｂ）に示すように、操作把持部１１２を操作して挟持爪１１１を開いた状態で挟み保持具１１０を変位させながら挟持爪１１１でリベット９０における台座部９３上の頭部９７を把持する。
【００４１】
この場合、作業者は、図２に示す破線矢印に示すように、操作把持部１１２を操作することにより挟み保持具１１０を取付孔１２１ａの長径方向（図示上下方向）および取付ネジ１２２ａを中心とする回転方向にそれぞれ変位させることができる。また、作業者は、操作把持部１１２を操作することにより挟持爪１１１の刃先１１１ａを台座部９３と頭部９７との間に位置決めして食い込ませる（図９参照）。これにより、頭部９７が台座部９３上から浮いて頭部９７の下面に挟持爪１１１の刃先１１１ａが位置することになる。すなわち、リベット本体９１に対して押込みピン９５が僅かに摺動変位する。この挟持爪１１１による押込みピン９５の保持作業においては、作業者は、載置板１２３を取付対象物ＴＴ上に押さえて固定状態としているため、安定した状態で作業を行うことができる。
【００４２】
次に、作業者は、図６に示すように、載置板１２３を指で押さえた状態を解消した上で操作把持部１１２を取付部１２１側に傾倒させる（図６に示す破線矢印参照）。これにより、リベット外し工具１００は、取外し補助体１２０における角部１２８を支点として図示左側に傾倒するため、テコの原理によってリベット本体９１に対して押込みピン９５を図示上方に引抜く方向に変位させることができる。この場合、リベット外し工具１００の傾倒操作による押込みピン９５の変位量は、台座部９３上から約５ｍｍ〜１０ｍｍ程度である。したがって、押込みピン９５は、リベット外し工具１００の傾倒操作によってリベット本体９１内から完全に引き抜かれることもあるが、完全には引き抜かれないこともある。
【００４３】
このような場合、作業者は、例えば、挟持爪１１１で押込みピン９５を把持した状態で挟み保持具１１０を取付対象物ＴＴ上から離隔させることによって押込みピン９５をリベット本体９１から完全に引き抜くことができる。また、これとは別に、作業者は、操作把持部１１２を操作して挟持爪１１１による押込みピン９５の把持を解消してリベット９０からリベット外し工具１００を離脱させる。そして、作業者は、自身の手で押込みピン９５を直接把持して引っ張ることによって押込みピン９５をリベット本体９１から完全に引き抜くこともできる。これらにより、取付対象物ＴＴ内におけるリベット本体９１の固定状態は解消される。
【００４４】
したがって、作業者は、自身の手や他のペンチなどの工具を用いてリベット本体９１における台座部９３を直接把持して引っ張ったり、または取付対象物ＴＴの裏側から胴部９２を押し出したりしてリベット本体９１を取付対象物ＴＴ上から完全に離脱させることができる。これにより、取付対象物ＴＴ上からのリベット９０の取外し作業が終了する。
【００４５】
なお、作業者は、挟持爪１１１を押込みピン９５における頭部９７の下面に引っ掛けて押込みピン９５を保持したが、挟持爪１１１の刃先１１１ａによって頭部９７の外周部を直接挟んで保持するようにしてもよい。また、作業者は、長孔状の逃げ部１２４ａ内における奥側で頭部９７を把持するようにした（図５（Ｂ）参照）。これは、初心者でも容易に頭部９７を保持し易くするためである。したがって、頭部９７の引抜き作業に慣れてきた作業であれば、逃げ部１２４ａ内における前方側で頭部９７を把持することもできる（図５（Ａ）参照）。これによれば、作業者は、頭部９７を保持する際に頭部９７が操作把持部１１２によって隠れる（視覚的に重なる）ことが少なくなるため、頭部９７の位置が確認し易くなって作業性が向上する。また、作業者は、一度の操作でより長く押込みピン９５を引抜くことができるため、当初から頭部９７を把持して引抜き作業を行うことできるとともに、当初は逃げ部１２４ａの奥側で頭部９７を把持して引抜き作業を行った後に逃げ部１２４ａの前側で頭部９７を把持し直して再度引抜き作業を行うこともできる。
【００４６】
上記作動説明からも理解できるように、上記実施形態によれば、リベット外し工具１００は、挟み保持具１１０が取外し補助体１２０を介して取付対象物ＴＴ上に安定的に載置されるとともに、挟持爪１１１が押込みピン９５を挟持した状態で操作把持部１１２を傾倒操作することによって取外し補助体１２０における角部１２８を支点として挟み保持具１１０を傾倒させることでテコの作用を利用して容易に押込みピン９５をリベット本体９１から引抜くことができる。
【００４７】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００４８】
例えば、上記実施形態においては、取外し補助体１２０における逃げ部１２４ａを長孔状に形成した。しかし、逃げ部１２４ａは、取付対象物ＴＴ上のリベット９０の一部、具体的には、台座部９３または頭部９７を保持する領域が確保されていればよい。したがって、逃げ部１２４ａは、長孔以外の形状、例えば、円形、楕円形、方形や三角形状などの多角形状などに形成することができる。また、逃げ部１２４ａの形成位置についても挟持爪１１１の下方であればよい。
【００４９】
また、逃げ部１２４ａは、孔以外の形状、例えば、図７に示すように、載置板１２３の外縁部にまで達する切り欠き状に形成することもできる。なお、上記実施形態においては、挟持爪１１１によって押込みピン９５の頭部９７を保持したが、例えば、図８に示すように、逃げ部１２４ａの大きさを大きく形成しておくことによって挟持爪１１１で台座部９３を押込みピン９５と同様に直接保持することも可能である。これによれば、取付対象物ＴＴからリベット本体９１を直接引き抜いて取り外すことができる。
【００５０】
また、上記実施形態においては、載置板１２３における平面部１２４上に参考線１２５および説明書き１２７を設けた。しかし、取外し補助体１２０は、参考線１２５および説明書き１２７を省略して構成できることは当然である。
【００５１】
また、上記実施形態においては、載置板１２３は、平面部１２４の両側に傾斜部１２６をそれぞれ設けて構成した。これにより、取外し補助体１２０は、取付対象物ＴＴの表面が凹状に凹んだ曲面状に形成されている場合であっても載置板１２３を取付対象物ＴＴ上に安定的に載置することができる。しかし、取外し補助体１２０は、傾斜部１２６が不要な場合、例えば、取付対象物ＴＴの表面が平らまたは凸状に形成されているなどの場合には省略して構成することができる。
【００５２】
また、上記実施形態においては、載置板１２３は、台座部９３の厚さよりも薄い厚さに形成した。しかし、載置板１２３は、台座部９３の厚さよりも厚く形成することも可能である。この場合、載置板１２３は、逃げ部１２４ａの大きさを挟持爪１１１が入り込むことが可能な大きさおよび形状に形成すればよい。
【００５３】
また、上記実施形態においては、載置板１２３は、平面部１２４を人の指が載置可能な面積を確保して形成した。しかし、載置板１２３は、平面部１２４を必ずしも人の指が載置可能な大きさを確保する必要はない。
【００５４】
また、上記実施形態においては、リベット外し工具１００は、取外し補助体１２０を挟み保持具１１０に対して２方向に可動的、より具体的には、載置板１２３に対して離隔する方向および取付ネジ１２２ａを中心とする回転方向に変位可能に取り付けた。しかし、リベット外し工具１００は、取外し補助体１２０を挟み保持具１１０に対して前記２方向のうちの一方に可動的、または固定的に取り付けることもできる。
【００５５】
また、上記実施形態においては、挟み保持具１１０は、一対の挟持爪１１１における互いの刃先１１１ａの間隔Ｐの最小値を芯体９６の外径よりも大きくなるように設定した。これにより、押込みピン９５の引き抜き作業時に刃先１１１ａが芯体９６に接触することによる刃先１１１ａの損傷を防止することができる。しかし、挟み保持具１１０は、一対の挟持爪１１１における互いの刃先１１１ａの間隔Ｐの最小値を芯体９６の外径よりも狭くするように設定することもできる。これによれば、押込みピン９５の引き抜き作業時に挟持爪１１１の刃先１１１ａを芯体９６に食い込ませて押込みピン９５をより強固に保持することができる。
【００５６】
また、上記実施形態においては、挟み保持具１１０は、一対の挟持爪１１１における互いの刃先１１１ａの間隔Ｐの最大値をリベット９０における台座部９３の外径よりも大きく形成した。これにより、挟み保持具１１０は、一対の挟持爪１１１によって台座部９３を保持することもできる。しかし、挟み保持具１１０は、一対の挟持爪１１１における互いの刃先１１１ａの間隔Ｐの最大値（換言すれば、刃先１１１ａの開く側の開度）を所定量に規制することもできる。
【００５７】
具体的には、挟み保持具１１０は、例えば、図１および図２にそれぞれ破線で示すように、一対の操作把持部１１２における一方の操作把持部１１２が繋がるヒンジ部１１３の外周部にストッパピン１１５を設けて刃先１１１ａの間隔Ｐの最大値を規制することもできる。この場合、ストッパピン１１５は、操作把持部１１２が開いた際に他方の操作把持部１１２または同他方の操作把持部１１２に繋がるヒンジ部１１３に突き当たる位置に設けられる。そして、刃先１１１ａの間隔Ｐの最大値は、例えば、リベット９０における台座部９３の外径未満または同台座部９３における上面（頭部９７が載っている平面）の外径未満に設定することができる。これによれば、挟み保持具１１０は、刃先１１１ａが台座部９３の外径または台座部９３の上面部の外径以上の幅で開くことがないため、頭部９７をより掴み易くすることができる。
【符号の説明】
【００５８】
ＴＴ…取付対象物、Ｐ…挟持爪の刃先の間隔、
９０…リベット、９１…リベット本体、９２…胴部、９３…台座部、９４…スリット、９５…押込みピン、９６…芯体、９７…頭部、
１００…リベット外し工具、
１１０…挟み保持具、１１１…挟持爪、１１１ａ…刃先、１１２…操作把持部、１１３…ヒンジ部、１１４ａ…スプリング、１１４ｂ…調整ネジ、１１５…ストッパピン、
１２０…取外し補助体、１２１…取付部、１２１ａ…取付孔、１２２ａ…取付ネジ、１２２ｂ…平ワッシャ、１２２ｃ…スリーブ、１２３…載置板、１２４…平面部、１２４ａ…逃げ部、１２５…参考線、１２６…傾斜部、１２７…説明書き、１２８…角部。
【図１】
0006278461.tif 000002
【図２】
0006278461.tif 000003
【図３】
0006278461.tif 000004
【図４】
0006278461.tif 000005
【図５】
0006278461.tif 000006
【図６】
0006278461.tif 000007
【図７】
0006278461.tif 000008
【図８】
0006278461.tif 000009
【図９】
0006278461.tif 000010